(57)【要約】【課題】本発明はコネクタ１０の小型化が可能で、規定以上の接触力を確保できる構造のカードコネクタ１０を提供する。【解決手段】本目的は少なくとも１枚以上のカード６０が挿抜されるカードコネクタ１０であって、カード６０と接触する接触部１３１を有する複数のコンタクト１３と、コンタクト１３が保持・配列されるとともにカード６０が挿入される嵌合口２２を有するハウジング１２とを備え、同一の前記嵌合口２２内に少なくとも２以上のコンタクト１３が保持・配列されるカードコネクタ１０において、ハウジング１２に所要数の治具が入る凹部３４を設け、同一の前記嵌合口２２内に少なくとも２以上の接触部１３１が配置されるコンタクト１３の保持部１３２をコネクタ１０の厚み方向で位置をずらすとともにコンタクト１３をハウジング１２に挿入後に所要数のコンタクト１３の接触部１３１を曲げることにより達成できる。【選択図】  図１
2007035320.tif 000002
【特許請求の範囲】
【請求項１】
少なくとも１枚以上のカードが挿抜されるカードコネクタであって、前記カードと接触する接触部を有する複数のコンタクトと、該コンタクトが保持・配列されるとともに前記カードが挿入される嵌合口を有するハウジングとを備え、同一の前記嵌合口内に少なくとも２以上のコンタクトが保持・配列されるカードコネクタにおいて、
前記ハウジングに所要数の治具が入る凹部を設け、同一の前記嵌合口内に少なくとも２以上の接触部が配置される前記コンタクトの保持部をコネクタの厚み方向で位置をずらすとともに前記コンタクトを前記ハウジングに挿入後に所要数の前記コンタクトの接触部を曲げることを特徴とするカードコネクタ。
【請求項２】
少なくとも１枚以上のカードが挿抜されるカードコネクタであって、前記カードと接触する接触部を有する複数のコンタクトと、該コンタクトが保持・配列されるとともに前記カードが挿入される嵌合口を有するハウジングとを備え、同一の前記嵌合口内に２つのコンタクトが保持・配列されるカードコネクタにおいて、
前記ハウジングに所要数の治具が入る凹部を設け、同一の前記嵌合口内に２つの接触部が配置される前記コンタクトの保持部をコネクタの厚み方向で位置をずらすとともに前記コンタクトを前記ハウジングに挿入後にカード挿入方向と反対側に保持する前記コンタクトの接触部を曲げることを特徴とするカードコネクタ。
【請求項３】
前記ハウジングの凹部内に前記接触部を曲げる際の誘いとしての誘い部を設けることを特徴とする請求項１または２記載のカードコネクタ。
【発明の詳細な説明】
【技術分野】
【０００１】
本発明は、機器内の電子・電気機器やプリンターやカードリーダに使用されるカードコネクタに関するもので、特に同一の嵌合口内に少なくとも２以上のコンタクトを保持する場合の規定以上の接触力を確保できる構造に関するものである。
【背景技術】
【０００２】
従来、種々の情報の媒体となる異なるカードが存在し、コネクタを情報機器に取り付け、コネクタを介して媒体の蓄積情報の取り出しまたは蓄積を行なっている。
また、カードとの接続にあたっては、コネクタに所要数のカードが挿入できる複数の嵌合口若しくは複数のカード挿入が共用できる嵌合口を設け、該嵌合口内にコンタクトの接触部を突出させ、該接触部と前記カードが接触することで電気的導通が得られる構造になっている。複数のカード挿入が共用できる嵌合口の場合は、複数のカードに対応するコンタクトが必要になり、当然のことながら同一の嵌合口内に、複数のコンタクトの接触部が突出する構造になっている。
本出願人は、今までに主に特許文献１〜特許文献３のようなカードコネクタを提案している。
【特許文献１】特開２００１−３５１７０９の要約によると、厚みの異なる複数のメモリーカードを同一のコネクタに選択的に挿入して情報機器を操作することを目的とし、コネクタ本体は左右側壁及び奥壁よりなり、左右側壁には使用されるメモリーカードの側壁に合わせた受容部がその全長に亘って形成され、側壁の内側面にはカード識別端子が複数段配置され、奥壁にはカードの蓄積情報を取り出し、叉はカードに電子情報を書き込むための端子が適宜配置され、通常の書込み禁止のための保護端子が他側の側壁の適所に配置される。カード識別端子はばね状の金属帯片からなり、複数段に亘ってコンタクトの一側壁に配置されるとともに、夫々の識別端子の接触によりカードの存在を識別する識別タブが、カードを挿入しない状態では端子と離間して、側壁内に配置されている構造のメモリカード用コネクタが開示されている。  ちなみに、特開２００１−３５１７０９の特許請求の範囲には、請求項１として、コネクタ本体は、左右側壁及び奥壁よりなり、左右側壁には使用されるメモリーカードの枚数及び側壁形状に合わせた受容部がその全長に亘って形成され、側壁の内側面にはカード識別端子が複数段配置され、奥壁にはカードの蓄積情報を取り出し、叉はカードに電子情報を書き込むための端子が適宜配置されている、メモリーカード用コネクタ。請求項２として、コネクタの一側壁には、ばね状の金属帯片からなるカード識別端子が複数段に亘って配置されるとともに、夫々の識別端子と夫々のカードとの接触によりカードの存在を識別する識別タブが、カードを挿入しない状態では端子と離間している、請求項１に記載のメモリーカード用コネクタ。請求項３として、コネクタの一側壁には、ばね状の金属帯片からなるカード識別端子が複数本の溝孔に亘って配置されるとともに、夫々の識別端子と夫々のカードとの接触によりカードの存在を識別する識別タブが、カードを挿入しない状態では端子と離間している、請求項１に記載のメモリーカード用コネクタ。請求項４として、前記カード識別端子が2段に配置されるとともに、薄いカードが挿入されると下段のみのカード識別端子と接触し、厚いカードが挿入されると双方のカード識別端子と接触する、請求項２に記載のメモリーカード用コネクタ。請求項５として、前記カード識別端子が2段に配置されるとともに、一種のカードが上段側に挿入されると手前側のカード識別端子と接触し、他種のカードが下段側に挿入されると奥側のカード識別端子と接触する、請求項３に記載のメモリーカード用コネクタ。請求項６として、使用カード毎にそれらが挿入されるだけのスロットを開口した前蓋を設けた、請求項４叉は５に記載のメモリ‐カード用コネクタ等が開示されている。
【特許文献２】特開２００２−８７５５の要約によると、コンタクトのギャップ寸法にバラツキがなく、安定した接触が得られ、カードを挿入した際にコンタクトの座屈がなく、接続不良のないメモリーカード用コネクタ１０を提供することを目的とし、２枚のカード３２、３４が着脱自在に挿入されるメモリーカード用コネクタ１０であって、２枚のカード３２、３４が挿入される嵌合口を有すると共にコンタクトが挿入される挿入溝を有するハウジング１２と、このハウジング１２に保持・固定されると共にカードとの接触部とハウジング１２に固定される固定部と基板に接続する接続部とからなるコンタクトと構成されるメモリーカード用コネクタにおいて、前記コンタクトの接触部２２側を延設した係合部２０を設け、前記ハウジング１２の挿入溝２８に前記コンタクトの係合部２０と係合する係止部３０を設ける構造のメモリカード用コネクタが開示されている。  ちなみに、特開２００２−８７５５の特許請求の範囲には、請求項１として、２枚のカードが着脱自在に挿入されるメモリーカード用コネクタであって、２枚のカードが挿入される嵌合口を有すると共にコンタクトが挿入される挿入溝を有するハウジングと、このハウジングに保持・固定されると共にカードとの接触部とハウジングに固定される固定部と基板に接続する接続部とからなるコンタクトと構成されるメモリーカード用コネクタにおいて、前記コンタクトの接触部側を延設した係合部を設け、前記ハウジングの挿入溝に前記コンタクトの係合部と係合する係止部を設けたことを特徴とするメモリーカード用コネクタが開示されている。
【特許文献３】特開２００５−１１６０５の要約によると、カードを検出するなどのコンタクトを２分割して装着するようにしたカードコネクタを提供を目的とし、コネクタ本体の前面側にカード差込み口があって、このカード差込み口から内部のカード収納部にカードが収納されるカードコネクタにおいて、コネクタ本体のコンタクト収納部１６０内に、コネクタ本体の前面側から、金属プレート片からなるフロントコンタクト２１０を装着する一方、コネクタ本体の後面側から、金属プレート片からなるリアコンタクト２２０を装着して、これら両コンタクトのコンタクト収納部１６０内の端部同士を電気的に接続させるカードコネクタ１００Ａにあり、これによって、フロントコンタクト２１０及びリアコンタクト２２０を安定して装着させる構造のカードコネクタが開示されている。  ちなみに、特開２００５−１１６０５の特許請求の範囲には、請求項１として、コネクタ本体の前面側にカード差込み口があって、当該カード差込み口から内部のカード収納部にカードが収納されるカードコネクタにおいて、前記コネクタ本体のコンタクト収納部内に、前記コネクタ本体の前面側から、金属プレート片からなるフロントコンタクトを装着する一方、前記コネクタ本体の後面側から、金属プレート片からなるリアコンタクトを装着して、これら両コンタクトの前記コンタクト収納部内の端部同士を電気的に接続させることを特徴とするカードコネクタ。請求項２として、コネクタ本体の前面側にカード差込み口があって、当該カード差込み口から内部のカード収納部にカードが収納されるカードコネクタにおいて、前記コネクタ本体のコンタクト収納部内に、前記コネクタ本体の前面側から、その一端側に検出部を有する金属プレート片からなるフロントコンタクトを装着する一方、前記コネクタ本体の後面側から、その一端側にハンダ付け脚部を有する金属プレート片からなるリアコンタクトを装着して、これら両コンタクトの前記コンタクト収納部内の端部同士を電気的に接続させることを特徴とするカードコネクタ。請求項３として、前記コネクタ本体の前面側に複数のカード差込み口があって、少なくともカード収納部の一部が重なり合う重層構造となる部分において、前記両コンタクトを装着してなることを特徴とする請求項１又は２記載のカードコネクタ等が開示されている。
【発明の開示】
【発明が解決しようとする課題】
【０００３】
近年、情報機器や基板の小型化が進み中、コネクタへの小型化の要求も強まり、狭ピッチ化も進んできている。コネクタの小型化のためには、複数のカードが入るように嵌合口を共用化する場合があるが、その際には複数のコンタクトを同一の嵌合口内にコンタクトの接触部が突出するように配置する必要があり、かつ、複数のコンタクトの前記接触部がカード挿入方向で位置をずらしている場合がある。
このような場合には、接触部の幅を狭くし、挿入側と逆側に配置するコンタクトが挿入口側のコンタクト隣接間を通す必要が生じた。その際には、接触部の幅を狭くしたことで、規定以上（０．２Ｎ）の接触力を確保することが出来ないといった課題があった。規定以上の接触力を確保できないために、安定した接触を得ることができなく、接続不良に繋がることも懸念される。
特許文献１〜特許文献３は、複数の嵌合口を有しているが、上記のような課題を解決目的ではなく、本願の構成、効果とは相違するものである。
【０００４】
本発明は、このような従来の問題点に鑑みてなされたもので、コネクタの小型化が可能で、規定以上の接触力を確保できる構造のカードコネクタを提供せんとするものである。
【課題を解決するための手段】
【０００５】
上記目的は、少なくとも１枚以上のカード６０が挿抜されるカードコネクタ１０であって、前記カード６０と接触する接触部１３１を有する複数のコンタクト１３と、該コンタクト１３が保持・配列されるとともに前記カード６０が挿入される嵌合口２２を有するハウジング１２とを備え、同一の前記嵌合口２２内に少なくとも２以上のコンタクト１３が保持・配列されるカードコネクタ１０において、前記ハウジング１２に所要数の治具が入る凹部３４を設け、同一の前記嵌合口２２内に少なくとも２以上の接触部１３１が配置される前記コンタクト１３の保持部１３２をコネクタ１０の厚み方向で位置をずらすとともに前記コンタクト１３を前記ハウジング１２に挿入後に所要数の前記コンタクト１３の接触部１３１を曲げることにより達成できる。
【０００６】
同一の嵌合口２２内に２枚のカード６０が挿入される場合、少なくとも１枚以上のカード６０が挿抜されるカードコネクタ１０であって、前記カード６０と接触する接触部１４１、１６１、１８１、２０１、を有する複数のコンタクト１４、１６、１８、２０と、該コンタクト１４、１６、１８、２０が保持・配列されるとともに前記カード６０が挿入される嵌合口２２を有するハウジング１２とを備え、同一の前記嵌合口２２内に２つのコンタクト１４、１６が保持・配列されるカードコネクタ１０において、前記ハウジング１２に所要数の治具が入る凹部３４を設け、同一の前記嵌合口２２内に２つの接触部１４１、１６１が配置される前記コンタクト１４、１６の保持部１４２、１６２をコネクタ１０の厚み方向で位置をずらすとともに前記コンタクト１６を前記ハウジング１２に挿入後にカード挿入方向と反対側に保持する前記コンタクト１６の接触部１６１を曲げることにより達成できる。
【０００７】
前記ハウジング１２の凹部３４内に前記接触部を曲げる際の誘いとしての誘い部３６を設ける。
【発明の効果】
【０００８】
以上の説明から明らかなように、本発明のカードコネクタ１０によると、次のような優れた顕著な効果が得られる。
（１）少なくとも１枚以上のカード６０が挿抜されるカードコネクタ１０であって、前記カード６０と接触する接触部１３１を有する複数のコンタクト１３と、該コンタクト１３が保持・配列されるとともに前記カード６０が挿入される嵌合口２２を有するハウジング１２とを備え、同一の前記嵌合口２２内に少なくとも２以上のコンタクト１３が保持・配列されるカードコネクタ１０において、前記ハウジング１２に所要数の治具が入る凹部３４を設け、同一の前記嵌合口２２内に少なくとも２以上の接触部１３１が配置される前記コンタクト１３の保持部１３２をコネクタ１０の厚み方向で位置をずらすとともに前記コンタクト１３を前記ハウジング１２に挿入後に所要数の前記コンタクト１３の接触部１３１を曲げているので、カードコネクタ１０の小型化も可能で、前記接触部１３１の幅を狭くすることがないため規定以上（０．２Ｎ）の接触力を確保することができ、接続不良に繋がることもなく、前記コンタクト１３１の挿入も同一方向からできるため製造し易く、かつ、コストアップにも繋がらない。
【０００９】
（２）同一の嵌合口内に２枚のカードが挿入される場合、同一の嵌合口２２内に２枚のカード６０が挿入される場合、少なくとも１枚以上のカード６０が挿抜されるカードコネクタ１０であって、前記カード６０と接触する接触部１４１、１６１、１８１、２０１、を有する複数のコンタクト１４、１６、１８、２０と、該コンタクト１４、１６、１８、２０が保持・配列されるとともに前記カード６０が挿入される嵌合口２２を有するハウジング１２とを備え、同一の前記嵌合口２２内に２つのコンタクト１４、１６が保持・配列されるカードコネクタ１０において、前記ハウジング１２に所要数の治具が入る凹部３４を設け、同一の前記嵌合口２２内に２つの接触部１４１、１６１が配置される前記コンタクト１４、１６の保持部１４２、１６２をコネクタ１０の厚み方向で位置をずらすとともに前記コンタクト１６を前記ハウジング１２に挿入後にカード挿入方向と反対側に保持する前記コンタクト１６の接触部１６１を曲げているので、カードコネクタ１０の小型化も可能で、前記接触部１４１、１６１の幅を狭くすることがないため規定以上（０．２Ｎ）の接触力を確保することができ、接続不良に繋がることもなく、前記コンタクト１４、１６の挿入も同一方向からできるため製造し易く、かつ、コストアップにも繋がらない。
【００１０】
（３）前記ハウジング１２の凹部３４内に前記接触部１６１を曲げる際の誘いとしての誘い部３６を設けているので、前記コンタクト１６挿入後でも容易に安定した曲げ加工を施すことができる。
【発明を実施するための最良の形態】
【００１１】
図１から図３に基づいて、本発明の一実施例について説明する。本実施例は同一の嵌合口内に２つの前記コンタクトの接触部が配置されるカードコネクタである。
図１（Ａ）はカード挿入方向上方よりみた本発明のカードコネクタの斜視図であり、（Ｂ）はカード挿入方向下方よりみた本発明のカードコネクタの斜視図である。図２（Ａ）は本発明のカードコネクタをＲＳ−ＭＭＣ用コンタクト部分で断面した断面図であり、（Ｂ）は本発明のカードコネクタをＭＳ  Ｄｕｏ用コンタクト部分で断面した断面図である。図３（Ａ）は本発明のカードコネクタをＭＳ  Ｄｕｏ用コンタクト部分で断面した曲げ加工前の断面図であり、（Ｂ）は本発明のカードコネクタをＭＳ  Ｄｕｏ用コンタクト部分で断面した曲げ加工後の断面図である。
本発明のカードコネクタ１０は、少なくとも複数種のコンタクト１４、１６、１８、２０とハウジング１２とを備えている。
【００１２】
構成部品を説明する前に、カード６０について説明する。前記カード６０はプリンターやカードリーダ等に使用されるものであって、前記カード６０には主にコンタクト１４、１６、１８の接触部１４１、１６１、１８１と接触する接触部と該接触部から回路へ繋がるパターンと該パターン上に搭載されたＩＣやＣＰＵと接続する接続部とを備えている。本発明のカードコネクタ１０に使用されるカード６０としては、マルチメディアカード（登録商標）、ＳＤカード（Secure  Digital  memory  card、登録商標）、Mini−ＳＤカード（Mini  Secure  Digital  memory  card、登録商標）、メモリースティック（登録商標）、スマートメディア（登録商標）、コンパクトフラッシュ（登録商標）、ｘDカード（登録商標）、RS−MMCカード（Reduce Size MMC card、登録商標）、Transflashカード（登録商標）、Sカード（S card、登録商標）、Memory-Stick  Duo（登録商標）などのように、ＣＰＵあるいはメモリー用のＩＣが内臓されたＩＣカードが挙げられる。
本実施例のカードコネクタ１０には、コンパクトフラッシュ（登録商標）とMini−ＳＤカードとRS−MMCカードとMemory-Stick  Duoの４枚のカードが挿入できる構造になっており、同一の嵌合口２２内にはRS−MMCカードとMemory-Stick  Duoの２枚のカードが挿入されるものである。
【００１３】
構成部品について説明する。
まず、本発明の１つのポイントであるハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２には、少なくとも上部壁と下部壁と２つの側壁と奥行壁とを備えており、複数の前記カード６０が挿入される所要数の嵌合口２２が設けられている。本実施例では、前記嵌合口２２の数としては３つ設けている。前記嵌合口２２の大きさは所要数の前記カード６０が挿入でき、前記カード６０が挿入された際にそれぞれのカード６０に対応する前記コンタクト１４、１６、１８、２０に接触できるように適宜設計されている。
【００１４】
本実施例では、前記嵌合口２２の配列としては、上段側にコンパクトフラッシュカード（登録商標）が入り、下段右側にMini−ＳＤカードが入り、下段左側にRS−MMCカードとMemory-Stick  Duoカードが入るように配置されている。前記ハウジング１２には、所要数の前記コンタクト１４、１６、１８、２０が保持・配列される複数種のコンタクト１４、１６、１８、２０に対応した挿入孔３２が設けられている。複数種の前記コンタクト１４、１６、１８、２０は前記ハウジング１２に圧入によって保持（固定）されている。各々の前記挿入孔３２の大きさは前記ハウジング１２の強度やコネクタ１０の小型化や保持力等を考慮して適宜設計している。
ＲＳ−ＭＭＣ用コンタクト１４とＭＳ  Ｄｕｏ用コンタクト１６が挿入される前記挿入孔３２はコネクタ１０の厚み方向にずらして配置されている。このずらし量は前記ハウジング１２の強度やコネクタ１０の小型化等を考慮して適宜設計している。
【００１５】
前記ハウジング１２には、カード挿入側と反対側に配置されるＭＳ  Ｄｕｏ用コンタクト１６に対応する位置に、一連若しくはコンタクト１６毎に凹部３４が設けられている。前記凹部３４は製造上を考えると一連が好ましい。前記凹部３４はＭＳ  Ｄｕｏ用コンタクト１６の接触部１６１を曲げるための治具が入る部分であり、その大きさは前記ハウジング１２の強度や曲げ加工性等を考慮して適宜設計する。
また、前記ハウジング１２の凹部３４内に前記接触部１６１を曲げる際の誘いとしての誘い部３６が設けられている。即ち、前記誘い部３６は、ＭＳ  Ｄｕｏ用コンタクト１６の接触部１６１を治具（図示せず）によって曲げる際のダイスの役割をする部分である。前記誘い部３６の形状や大きさは、このような役割や前記ハウジング１２の強度を考慮して適宜設計する。
【００１６】
次に、複数種のコンタクト１４、１６、１８、２０について説明する。複数種の前記コンタクト１４、１６、１８、２０は金属製であり、公知技術のプレス加工によって製作されている。複数種の前記コンタクト１４の材質としては、バネ性や導電性などが要求されるので、黄銅やベリリウム銅やリン青銅等を挙げることができる。複数種の前記コンタクト１４、１６、１８、２０は少なくとも前記カード６０に接触する接触部１４１、１６１、１８１、２０１と前記ハウジング１２に保持される保持部１４２、１６２、１８２、２０２と基板（図示せず）に接続する接続部１４３、１６３、１８３、２０３とを有している。
１４はＲＳ−ＭＭＣカードに対応するＲＳ−ＭＭＣ用コンタクトであり、１６はMemory-Stick  Duo（ＭＳ  Ｄｕｏ）カードに対応するＭＳ  Ｄｕｏ用コンタクトであり、１８はMini−ＳＤカードに対応するMini−ＳＤ用コンタクトであり、２０はコンパクトフラッシュカード（登録商標）に対応するコンパクトフラッシュカード（登録商標）用コンタクト（以下では「ＣＦ用コンタクト」という）である。ＲＳ−ＭＭＣ用コンタクト１４とＭＳ  Ｄｕｏ用コンタクト１６とが前記ハウジング１２の同一の嵌合口２２内に接触部１４１、１６１が突出しているものである。
【００１７】
前記コンタクト１４、１６、１８の前記接触部１４１、１６１、１８１の形状としては、対応する前記カード６０と接触し易いように湾曲形状にしている。前記ＣＦ用コンタクト２０の接触部２０１の形状としては、コンパクトフラッシュカード（登録商標）に対応してピン形状をしている。
ＲＳ−ＭＭＣ用コンタクト１４とＭＳ  Ｄｕｏ用コンタクト１６の接触部１４１、１６１は同一の前記嵌合口内に配置されており、前記接触部１４１がカード挿入方向側で、前記接触部１６１がカード挿入方向と反対側に配置されている。
【００１８】
それぞれの前記コンタクト１４、１６、１８、２０の前記接続部１４３、１６３、１８３、２０３は本実施例では基板の回路設計を考慮してＳＭＴ（表面実装）タイプにしたが、ディップタイプであってもよい。前記接続部１４３、１６３、１８３はカード挿入方向側に配置され、前記接続部２０３はカード挿入方向の反対側に配置されている。
【００１９】
最後に、製造方法について説明する。
まず、前記ハウジング１２に前記ＭＳ  Ｄｕｏ用コンタクト１６を挿入する。
次に、前記ＭＳ  Ｄｕｏ用コンタクト１６の接触部１６１を前記ハウジング１２の凹部３４内に治具（図示せず）を入れることによって所定の形状に曲げ加工を施す。
最後に、残り３種類の前記コンタクト１４、１８、２０をそれぞれ挿入する。
【産業上の利用可能性】
【００２０】
本発明の活用例としては、機器内の電子・電気機器やプリンターやカードリーダに使用されるカードコネクタ１０に活用され、特に同一の嵌合口２２内に少なくとも２以上のコンタクト１３を保持する場合の規定以上の接触力を確保できる構造に関するものである。
【図面の簡単な説明】
【００２１】
【図１】（Ａ）  カード挿入方向上方よりみた本発明のカードコネクタの斜視図である。（Ｂ）  カード挿入方向下方よりみた本発明のカードコネクタの斜視図である。
【図２】（Ａ）  本発明のカードコネクタをＲＳ−ＭＭＣ用コンタクト部分で断面した断面図である。（Ｂ）  本発明のカードコネクタをＭＳ  Ｄｕｏ用コンタクト部分で断面した断面図である。
【図３】（Ａ）  本発明のカードコネクタをＭＳ  Ｄｕｏ用コンタクト部分で断面した曲げ加工前の断面図である。（Ｂ）  本発明のカードコネクタをＭＳ  Ｄｕｏ用コンタクト部分で断面した曲げ加工後の断面図である。
【符号の説明】
【００２２】
１０                                    カードコネクタ
１２                                    ハウジング
１３                                    コンタクト
１４                                    ＲＳ−ＭＭＣ用コンタクト
１６                                    ＭＳ  Ｄｕｏ用コンタクト
１８                                    Mini−ＳＤ用コンタクト
２０                                    ＣＦ用コンタクト
１３１、１４１、１６１、１８１、２０１  接触部
１３２、１４２、１６２、１８２、２０２  固定部
１３３、１４３、１６３、１８３、２０３  接続部
２２                                    嵌合口
２４                                    上部壁
２６                                    下部壁
２８                                    側壁
３０                                    奥行壁
３２                                    挿入孔
３４                                    凹部
３６                                    誘い部
６０                                    カード
【図１】
2007035320.tif 000003
【図２】
2007035320.tif 000004
【図３】
2007035320.tif 000005